(57)【要約】【課題】洗浄組成物を提供する。【解決手段】  本発明は、  ２０〜９０質量％のジメチルスルホキシド、  ５〜３０質量％の少なくとも１種の鉱油（Ｍ）、及び  ５〜５０質量％の少なくとも１種の双極性有機溶媒（Ｌ）を含む洗浄組成物に関し、上記各割合の範囲はそれぞれ洗浄組成物の全質量に基づく。  本発明はまた、洗浄組成物を用いることによって構成要素を洗浄する方法、及び洗浄した構成要素自体にも関する。【特許請求の範囲】
【請求項１】
洗浄組成物であって、
２０〜９０質量％のジメチルスルホキシド、
５〜３０質量％の少なくとも１種の鉱油（Ｍ）、及び
５〜５０質量％の少なくとも１種の双極性有機溶媒（Ｌ）
を含み、上記各割合の範囲はそれぞれ前記洗浄組成物の全質量に基づく、洗浄組成物。
【請求項２】
３５〜８０質量％のジメチルスルホキシド、
１０〜３０質量％の少なくとも１種の鉱油（Ｍ）、及び
１０〜４０質量％の少なくとも１種の双極性有機溶媒（Ｌ）
を、それぞれ前記洗浄組成物の全質量に基づいて含有する、請求項１に記載の洗浄組成物。
【請求項３】
少なくとも１種のパラフィン系及び/又はナフテン系鉱油（Ｍ）を含有する、請求項１又は２に記載の洗浄組成物。
【請求項４】
少なくとも１種のイソパラフィンベースの鉱油（Ｍ）を含有する請求項３に記載の洗浄組成物。
【請求項５】
前記洗浄組成物の全量に基づき５質量％以下の芳香族鉱油を含有し、好ましくは芳香族鉱油を含有しない、請求項１から４のいずれか一項に記載の洗浄組成物。
【請求項６】
（ｉ）４〜１４個の炭素原子を有するモノアルコール、（ｉｉ）グリコール単位が遊離ヒドロキシル基を有してもよく、又は前記ヒドロキシル基がアルコキシル化されていてもよい、４〜１４個の炭素原子を有するモノアルコールのグリコールエーテル、及び（ｉｉｉ）４〜１４個の炭素原子を有するモノアルコールのエステルからなる群から選択される少なくとも１種の双極性有機溶媒（Ｌ）を含有する、請求項１から５のいずれか一項に記載の洗浄組成物。
【請求項７】
前記モノアルコールが脂肪族モノアルコールである請求項６に記載の洗浄組成物。
【請求項８】
前記グリコールエーテル（ｉｉ）が、モノエチレングリコールエーテル及びオリゴエチレングリコールエーテル（エチレンオキシド単位２〜５個、好ましくは２〜３個）からなる群から選択される、請求項６又は７に記載の洗浄組成物。
【請求項９】
前記エステル（ｉｉｉ）がギ酸又は酢酸のエステルからなる群から選択される、請求項６又は７に記載の洗浄組成物。
【請求項１０】
前記双極性有機溶媒（Ｌ）が脂肪族モノアルコールからなる群から選択される、請求項６に記載の洗浄組成物。
【請求項１１】
前記双極性有機溶媒（Ｌ）が、２−エチルヘキサノール、ブチルグリコール、ブチルジグリコール、ｎ−ブタノール、ｎ−ヘキサノール、イソブタノール、ｎ−ペンタノール、イソペンタノール、イソトリデシルアルコール及びヘキシルグリコールからなる群から選択される、請求項６に記載の洗浄組成物。
【請求項１２】
少なくとも８０質量％程度の、好ましくは少なくとも９０質量％の、より好ましくは１００質量％のジメチルスルホキシド、少なくとも１種の鉱油及び少なくとも１種の双極性有機溶剤からなる、請求項１から１１のいずれか一項に記載の洗浄組成物。
【請求項１３】
構成要素、すなわち物品、構成要素及び／又はプラント並びにそのようなプラントの部品を洗浄する方法であって、請求項１から１２のいずれか一項に記載の洗浄組成物を使用する方法。
【請求項１４】
構成要素、すなわち物品、構成要素及び／又はプラント並びにそのようなプラントの部品の洗浄に、請求項１から１２のいずれか一項に記載の洗浄組成物を使用する方法。
【請求項１５】
請求項１３に記載の方法によって洗浄した構成要素、すなわち物品、構成要素、プラント又はそのようなプラントの部品。
【発明の詳細な説明】
【技術分野】
【０００１】
本発明は、産業利用における様々なプラント系及びそのようなプラントの部品を洗浄するのに傑出して適した新規洗浄組成物に関する。特に、該洗浄組成物は、表面被覆の、例えば車両被覆のための表面被覆の生産設備における配管の洗浄に適している。
【背景技術】
【０００２】
産業用車両被覆、例えば大量生産の自動車被覆の分野では、適切な表面被覆を施与場所に運搬するために複雑な配管系を有するプラントが使用される。例として、それ自体公知であるリングラインプラント（ring line plants）が挙げられる。
【０００３】
これらのプラントの清掃には特に二つの要因が考慮されなければならず、これにより、この手順は特に困難となる。第一に、配管設備の重要な部品は手が届きにくい場所にあり、汚れが沈着又は固着する可能性がある大きな表面積を有する。第二に、複雑な表面被覆配合物は、除去することが困難で、非常に頑固な汚れを生成する特異な傾向を有する。よって、様々な有機構成成分、特に物理的に硬化可能な結合剤及び様々な添加剤成分、例えば疎水性の高いシリコーン誘導体、並びに、無機成分、特に顔料及び充填剤などは、特に強力な付着物及び沈着物の形成をもたらす可能性がある。プロセスに関連した、配管中の汚染物質、例えば疎水性の高い潤滑剤はまた、プラントの洗浄を非常に困難なものとする。
【０００４】
様々な洗浄成分及び組成物が産業用途において知られているが、これらは洗浄に関する上述の問題を必ずしも満足に解決することができるとは限らず、及び／又は健康及び環境に害を及ぼす成分をかなりの割合で含有する。よって、原則的に洗浄用として知られているジメチルスルホキシド（ＤＭＳＯ）であっても、いかなる種類の汚染をも満足に除去することができるわけではない。同様に、ＮＭＰ（１−メチル−２−ピロリドン）も原則的に洗浄用として非常に有効であるが、既知のように、有毒で、かつ、催奇形性成分として分類されている。
【発明の概要】
【発明が解決しようとする課題】
【０００５】
従って本発明の目的は、上述の汚れを特に良く取り除くことができ、同時に、健康及び環境に特に有害な成分を使用せずに済む可能性を提供することである。
【課題を解決するための手段】
【０００６】
上記目的は、
２０〜９０質量％のジメチルスルホキシド、
５〜３０質量％の少なくとも１種の鉱油（Ｍ）、及び
５〜５０質量％の少なくとも１種の双極性有機溶媒（Ｌ）
を含む新規洗浄組成物によって達成することができた。
【０００７】
上記各割合の範囲はそれぞれ、洗浄組成物の全質量に基づく。
【０００８】
新規洗浄組成物は本発明によって提供され、これ以降、本発明の洗浄組成物と言う。本発明の洗浄組成物の好ましい実施形態は、以下の記載及び従属請求項から得ることができる。
【０００９】
本発明はまた、物品、構成要素及び／又はプラント、並びにそのようなプラントの部品を洗浄する方法（該方法において、本発明の洗浄組成物を用いる）を提供する。
【００１０】
様々な物品、構成要素及び／又はプラント並びにそのようなプラントの部品の優れた洗浄が、その洗浄組成物を用いて、又は洗浄方法におけるその使用によって、達成可能であることが見出された。驚くべきことに、その組成物の洗浄作用は、個々の成分の洗浄作用よりも著しく良好である。この理由から、その組成物及び方法は、複雑な配管系を有するプラントの、例えば車両産業の分野におけるリングラインプラントの、洗浄の分野において特に有用である。
【発明を実施するための形態】
【００１１】
本発明の洗浄組成物は、ジメチルスルホキシドを含有する。ジメチルスルホキシドを洗浄剤として使用するという原則的な可能性は既知である。しかしながら、この成分は、下記の成分と組み合わせたときのみ優れた洗浄作用を示す。
【００１２】
ジメチルスルホキシドの割合は、洗浄組成物の全量に基づき、２０〜９０質量％である。割合の好ましい範囲は３５〜８０質量％、より好ましくは５０〜７０質量％である。
【００１３】
本発明の洗浄組成物は、少なくとも１種の鉱油（Ｍ）をさらに含有する。
【００１４】
本発明の目的のために、それ自体当業者に既知である鉱油を使用することができる。これら鉱油は、既知であるように、石油等の化石原材料を蒸留して得られる油であり、その主構成成分は、パラフィン系炭化水素（飽和非環式炭化水素）、ナフテン系炭化水素（飽和環状炭化水素）及び／又は芳香族炭化水素である。これらの蒸留物は一般に、少量の様々な硫黄含有及び／又は窒素含有有機化合物、並びにオレフィン炭化水素をさらに含有する。ミネラルグリースや鉱物ワックスとは対照的に、鉱油は流動性があり、標準的な条件（１０１３ｈＰａ、２０℃）下においてワックス様又は固体ではない。それら鉱油は対応して、比較的短鎖の炭化水素をより高い割合で有する。好ましい鉱油は、２５℃で（ＡＳＴＭ  Ｄ  ４４５）、１０００ｍＰａｓ以下の、より好ましくは５００ｍＰａｓ以下の、特に好ましくは１００ｍＰａｓ以下の粘度を有する。
【００１５】
本発明の目的のために、パラフィン系鉱油及び／又はナフテン系鉱油を使用することが好ましい。芳香族系鉱油には、健康に害を及ぼす及び環境に害を及ぼす特性があるからである。
【００１６】
本発明の目的のために、イソパラフィンベースの鉱油、すなわち炭化水素の大部分が非環式分岐構造を有するパラフィン系鉱油を使用することが、非常に好ましい。
【００１７】
この種の鉱油は多くの形態で市販されており、例えばＥｘｘｏｎＭｏｂｉｌ  Ｃｈｅｍｉｃａｌ社から市販されている。特に好ましいイソパラフィンベースの鉱油は、例えばＩｓｏｐａｒの商品名で入手可能である。
【００１８】
非常に特に好ましい洗浄組成物は、洗浄組成物の全量に基づき、１０質量％以下の、好ましくは５質量％以下の芳香族鉱油を含有し、より好ましくは芳香族鉱油を含有しない。
【００１９】
少なくとも１種の鉱油の割合は、洗浄組成物の全量に基づき、５〜３０質量％である。その割合の好ましい範囲は１０〜２０質量％である。
【００２０】
本発明の洗浄組成物は、少なくとも１種の双極性有機溶媒（Ｌ）（ジメチルスルホキシドとは異なる）をさらに含有する。
【００２１】
双極性有機溶媒もまた、当業者に既知である。双極性有機溶媒は、親水性成分と疎水性成分の両方を有することによって、混合物の水相と疎水相との間の可溶化剤としての役目を果たすことができる有機溶媒である。
【００２２】
典型的な親水性成分は、当業者の知識によれば、ヒドロキシル基、アミノ基及びカルボキシル基などの極性官能基、又はエチレンオキシド単位などの極性セグメントである。典型的な疎水性単位は、同様に専門知識によれば、アルキル基などの炭化水素基である。
【００２３】
適切な双極性溶媒は、例えば、（ｉ）４〜１４個の炭素原子を有するモノアルコール、好ましくは４〜１４個の炭素原子を有する脂肪族モノアルコール、（ｉｉ）４〜１４個の炭素原子を有する（好ましくは脂肪族の）モノアルコールのグリコールエーテル、好ましくは４〜１４個の炭素原子を有するモノアルコールのモノエチレングリコールエーテル又はオリゴエチレングリコールエーテル（エチレンオキシド単位２〜５個、好ましくは２〜３個）（そのグリコール単位は遊離ヒドロキシル基を有することができる、又はそのヒドロキシル基はアルコキシル化、好ましくはメトキシル化及び／若しくはエトキシル化することができる）、（ｉｉｉ）４〜１４個の炭素原子を有する（好ましくは脂肪族の）モノアルコールのエステル、特にギ酸又は酢酸のエステルである。
【００２４】
好ましい双極性溶媒は、上述の群（ｉ）及び（ｉｉ）からのものである。
【００２５】
少なくとも１種の双極性有機溶媒（Ｌ）は、好ましくは、カルボキシル基及び／又はアミノ基などのイオン性基及び／又は潜在的にイオン性の基を有さない。
【００２６】
好ましい溶剤（Ｌ）として、２−エチルヘキサノール、ブチルグリコール、ブチルジグリコール、ｎ−ブタノール、ｎ−ヘキサノール、イソブタノール、ｎ−ペンタノール、イソペンタノール、イソトリデシルアルコール及びヘキシルグリコールを明確に挙げることができる。
【００２７】
２−エチルヘキサノールの使用が特に非常に好ましい。
【００２８】
少なくとも１種の双極性有機溶媒の割合は、洗浄組成物の全量に基づき、５〜５０質量％である。割合の好ましい範囲は１０〜４０質量％、特に好ましくは１５〜３５質量％である。
【００２９】
本発明の洗浄組成物は、特に非常に好ましくは、少なくとも８０質量％程度の、好ましくは少なくとも９０質量％の、より好ましくは１００質量％のジメチルスルホキシド、少なくとも１種の鉱油及び少なくとも１種の双極性有機溶剤からなる。よって本発明の洗浄組成物は、さらなる有機溶媒などのさらなる構成成分を、もし含有するとしてもほんの少量しか含有しない。
【００３０】
本発明は同様に、構成要素を、この場合では物品、構成要素及び／又はプラント並びにそのようなプラントの部品を洗浄する方法を提供する。該方法において、本発明の洗浄組成物を用いる。
【００３１】
本発明の洗浄組成物について、上記に記載したすべての特定の好ましい実施形態は、無論、本発明の方法にも適用される。
【００３２】
洗浄組成物の使用は、広く様々な手段で実施することができる。洗浄する構成要素は、例えば、特定の期間の間、組成物中に静置させておくことができ、及び／又は組成物を噴霧する及び／又は組成物で洗い流すことができる。それに代わる方法として又は追加する方法として、洗浄する構成要素を、ブラシ又は布などの洗浄用品を追加で使用して洗浄することが可能である。
【００３３】
洗浄する構成要素、又は洗浄する構成要素の洗浄する表面は、本質的に金属性であることが好ましい。
【００３４】
最後となるが、本発明は、本発明の方法によって洗浄した構成要素、この場合は物品、構成要素、プラント又はそのようなプラントの部品を提供する。
【実施例】
【００３５】
様々な洗浄組成物及び成分の洗浄特質を決定するために、以下の方法を選択した。
【００３６】
３０×６０ｃｍの寸法を有し、ＢＡＳＦ  Ｃｏａｔｉｎｇｓ  ＧｍｂＨ社製の硬化標準電気泳動被覆で被覆した鋼板を、基材として供した。ＢＡＳＦ  Ｃｏａｔｉｎｇｓ  ＧｍｂＨ社製の青色標準水系塗料（ＷＢＣ）による約５ｃｍの直径を有する染み及び、ブチルグリコール中のＷａｃｋｅｒ社製のシリコーンオイルＡＫ１．０００の０．０１％濃度溶液による約５ｃｍの直径を有する染みを、約３０ｃｍの間隔でそれぞれ基材に施与した。その後続いて、鋼板を４０℃の温度で１０分間乾燥させた。
【００３７】
表１による様々な洗浄組成物及び成分でこのように処理した鋼板に、その後続いて、洗浄組成物及び成分を浸した布を用いて染みを拭き取るための処理を施した。ここでは、それぞれの染みを布で２回だけ拭いた。
【００３８】
その後続いて、得られた鋼板を乾燥させ、青色水系塗料の染みの位置に残った青色の着色に関して評価を行った。残った青色の着色は、水系塗料及びその成分に関して、洗浄組成物及び成分の不十分な洗浄作用を示した。
【００３９】
次いで鋼板を８０℃の温度で３０分間乾燥させ、室温に冷却し、その後続いて慣用の二液型クリア塗料を３０ミクロンの目標層厚（乾燥膜層厚）で、ブチルグリコール中のＷａｃｋｅｒ製ＡＫ１．０００シリコーン油の０．０１％濃度溶液の染み領域に被覆した。次いで、鋼板を室温で２０分間フラッシュし、続いて１４０℃の温度で２０分間焼き付けた。その後続いて、得られたクリア塗料を濡れ欠陥に関して評価した。ここで、濡れ欠陥は、シリコーン油に関する洗浄組成物及び成分の洗浄作用が不十分であることを示す。
【００４０】
表１に、この手順に従って得られた結果と一緒に洗浄組成物及び成分を示す。
【００４１】
【表１】
2019515978.tif 000002
【００４２】
各実施例は、本発明の洗浄組成物が洗浄に傑出して適していることを示している。それら洗浄組成物は、代わりに使用されるが健康及び環境に有害であるＮＭＰよりもさらに優れている。利点は、ＤＭＳＯ及び鉱油の使用と比較しても確認することができる。従って、優れた洗浄結果をもたらし、かつ、同時に健康及び環境に特に害を及ぼす成分を使用せずに済む組成物が提供される。
【国際調査報告】
2019515978.tif 000003
2019515978.tif 000004
2019515978.tif 000005
2019515978.tif 000006